(57)【要約】      （修正有）【課題】容易に手に入れることができる汎用的なダンボール箱を材料とし、特殊な道具や資材を使用することなく、短時間で簡単に作ることのできる簡易便座を提供する。【解決手段】ダンボール箱を分割して、２枚のダンボール板とし、長幅稜４ｅにおいて折曲げ、幅面を立ち上げて幅面立上３ａとし、また、長さ面４ａに繋がる２枚の長フラップの内の片方を片長フラップとし、長さ面と片長フラップとが交わる稜たる長フラップ稜４ｆにおいて折り曲げ、片長フラップを立ち上げてこれをフラップ立上３ｂとし、幅面立上とフラップ立上とを粘着テープ５で結合することにより、２個の半便座３とし、２個の半便座を、長さ面４ａ同士が互いに重なり、幅面立上３ａが長さ面の両側にそれぞれ離れて対立し、フラップ立上３ｂ同士が互いに重なるようにして組み合わせて結合し、さらに、重なり合う長さ面に貫通穴を設けて簡易便座とする。【選択図】図２
0003201269.tif 000002
【実用新案登録請求の範囲】
【請求項１】
ダンボール板を折り曲げるために加工された部分であって、箱に組み立てたときに二つの面の交わる線状部分を稜とし、長さ面と幅面の交わる稜たる長幅稜を４本有するダンボール箱において、対角に位置する２本の長幅稜に沿ってダンボール箱を切断することにより得た、２枚のダンボール板を材料とし、
２枚の前記ダンボール板を、長幅稜において折曲げ、幅面を立ち上げてこれを幅面立上とし、また、長さ面に繋がる２枚の長フラップの内の片方を片長フラップとし、前記長さ面と前記片長フラップとが交わる稜たる長フラップ稜において折り曲げ、前記片長フラップを立ち上げてこれをフラップ立上とし、前記幅面立上と前記フラップ立上とを結合することにより、前記長さ面と前記幅面立上と前記フラップ立上とを、それぞれ有する２個の半便座とし、
２個の前記半便座を、前記長さ面同士が互いに重なり、前記幅面立上が前記長さ面の両側にそれぞれ離れて対立し、前記フラップ立上同士が互いに重なるようにして組み合わせて結合し、さらに、重なり合う前記長さ面を貫通する穴を設けてなる簡易便座。
【請求項２】
請求項１に記載した簡易便座において、前記幅面に繋がる２枚の幅フラップの内の前記フラップ立上側を片幅フラップとし、前記幅面と前記片幅フラップとが交わる稜たる幅フラップ稜において折り曲げ、前記片幅フラップが前記片長フラップと重なるようにすることにより、前記フラップ立上の一部が、前記片長フラップと前記片幅フラップの２枚構造になるようにした簡易便座。
【請求項３】
請求項１又は請求項２のいずれかに記載した簡易便座において、前記長さ面に繋がる２枚の長フラップの内の他方を他長フラップとし、前記他長フラップの両角を斜めに切り取ってなる面取りを設け、前記長さ面と前記他長フラップとが交わる稜たる長フラップ稜において折り曲げ、前記他長フラップを立ち上げてこれを他側立上とし、
前記幅面に繋がる２枚の幅フラップの内の他方を他幅フラップとし、前記幅面と前記他幅フラップとが交わる稜たる幅フラップ稜において折り曲げ、前記他側立上の一部に前記他幅フラップの一部を重ねた状態とし、前記他側立上と前記他幅フラップとを結合してなる簡易便座。
【請求項４】
請求項１〜請求３のいずれかに記載した簡易便座と、ダンボール箱を二重にしてなる容器と、前記容器内に取り付けたゴミ袋及び前記ゴミ袋内に入れた水分吸収材とからなる簡易便器。
【請求項５】
２枚の長さ面、２枚の幅面、４枚の長フラップ及び４枚の幅フラップとからなるダンボール箱であって、前記長さ面に切断ミシン目と折曲ミシン目とからなる穴用ミシン目を設け、片方の長さ面に設けた穴用ミシン目と他方の長さ面に設けた穴用ミシン目とが、互いに上下反転した状態に構成したことを特徴とするダンボール箱。  
【考案の詳細な説明】
【技術分野】
【０００１】
本考案は、多種類の飲料水等の梱包に使用されている、汎用的なダンボール箱を材料として、特殊な道具や資材を使用することなく、短時間で簡単に作ることができる、簡易便座、簡易便器及び簡易便座の材料として有用なダンボール箱に関するものである。
【背景技術】
【０００２】
災害が発生したときに多くの人が集まる避難所や、津波警報時に多くの人が避難する津波避難公園や避難ビル、地震により公共交通機関が止まったときに、歩いて帰宅しようとする人たちに、トイレの貸し出しサービスを行うコンビニエンスストアなど、緊急時に多数の人が滞在したり訪れたりする施設や場所（以下単に「避難所等」という。）においては、利用する人の数に対して提供するトイレの数が不足する。また、水道が断水した場合には多くの水洗トイレが使用できなくなる。
このため、緊急時における避難所等だけでなく、断水時における各家庭においても、人が使用するトイレを確保するために、身近で容易に手に入れることのできる材料を使用した簡易便器の必要性が高い。
ダンボール箱を利用した簡易トイレの考案として、ダンボール箱と内部補強本体とを組み合わせる考案があった（例えば特許文献１参照。）。しかしこの考案は、補強部材と連結部材を組み合わせてなる内部補強本体を必要とし、内部補強本体は身近に存在するものではないため、緊急時に直ちに実施することができない問題があった。
【０００３】
ダンボール箱に便座を固定したトイレに関する発明もあった（例えば特許文献２参照。）。この発明は、ダンボール箱の蓋体４面を下方に折り曲げ、紐やバンドなどで結束してダンボール箱開口部とし、プラスチック成形による便座を載せる構成である。また、便座の下面に軌条状に突出した保持版を設け、保持版によってダンボール箱開口部を挟持する構成である。しかし、プラスチック成形による便座は身近に存在するものではなく、特許文献２に係る発明には、緊急時に直ちに実施することができない問題があった。
また、書籍などを収納するダンボール箱Ｂと補強枠とを有する簡易トイレの発明もあった（例えば特許文献３参照。）。しかし、ダンボール箱Ｂは一般的に使用されているものではない。さらに、補強枠は４枚の補強板を井桁状に組み合わせたものであるが、避難所等において、ダンボール箱Ｂに適合する補強枠を作るのは容易でない。そして、ダンボール箱Ｂ及び補強板を井桁状に組み合わせた補強枠は、身近に存在するものではないことから、特許文献３に係る発明には、緊急時に直ちに実施することができない問題があった。
【先行技術文献】
【特許文献】
【０００４】
【特許文献１】実用新案登録  第３０１９７７２号公報
【特許文献２】特開２０１２−１２５５２２号公報
【特許文献３】特開２０１２−２３２０５３号公報
【考案の概要】
【考案が解決しようとする課題】
【０００５】
本考案の目的は、身近にあって容易に手に入れることができるダンボール箱を材料として、特殊な道具や資材を使用することなく、短時間で簡単に作ることのできる簡易便座、簡易便器及び簡易便座の材料として有用なダンボール箱を提供することにある。
【課題を解決するための手段】
【０００６】
２枚の長さ面、２枚の幅面、４枚の長フラップ及び４枚の幅フラップとからなる汎用的なダンボール箱を分割して、２枚のダンボール板とする。続いて、ダンボール板を折り曲げるために加工された部分であって、箱に組み立てたときに二つの面の交わる線状部分たる稜において折り曲げることにより、それぞれ長さ面と幅面立上とフラップ立上とを有する２個の半便座とする。
次に、２個の半便座を、長さ面同士が互いに重なり、幅面立上が長さ面の両側にそれぞれ離れて対立し、フラップ立上同士が互いに重なるようにして組み合わせる。そして、組み合わせた状態で結合し、重なり合う長さ面を貫通する穴を設けてなる簡易便座とする。
さらに、簡易便座と、ダンボール箱を二重にしてなる容器と、容器内に取り付けたゴミ袋及び水分吸収剤とからなる簡易便器とする。
また、長さ面に切断ミシン目と折曲ミシン目とからなる穴用ミシン目を設け、片方の長さ面に設けた穴用ミシン目と他方の長さ面に設けた穴用ミシン目とが、互いに上下反転した状態になるよう構成したダンボール箱とする。
【考案の効果】
【０００７】
身近にあって容易に手に入れることができるダンボール箱を使用した、簡易便座及び簡易便器を提供することができた。
折り曲げるために加工された稜に沿ってダンボール箱を切断し、切断後の２枚のダンボール板をそれぞれの稜において折り曲げ、粘着テープなどで結合するだけで、短時間で簡単に作ることができる簡易便座を提供することができた。
また、片方の長さ面に設けた穴用ミシン目と他方の長さ面に設けた穴用ミシン目とが、互いに上下反転した状態のダンボール箱としたため、簡易便座を作るときの穴開け作業が容易であって、かつ、見栄えのよい簡易便座を得ることのできるダンボール箱を提供することができた。
【図面の簡単な説明】
【０００８】
【図１】ダンボール箱を切断した後の２枚のダンボール板の平面図である。
【図２】２個の半便座の斜視図である。
【図３】２個の半便座を組み合わせた状態の斜視図である。
【図４】容器と簡易便座を組み合わせる前の状態の斜視図である。
【図５】穴用ミシン目を設けた２枚のダンボール板の平面図である。
【考案を実施するための形態】
【０００９】
ダンボール板を折り曲げるために加工された部分であって、箱に組み立てたときに二つの面の交わる線状部分を稜とし、長さ面と幅面の交わる稜たる長幅稜を４本有するダンボール箱において、対角に位置する２本の長幅稜に沿って、ナイフやはさみなどを使用してダンボール箱を切断することにより、２枚のダンボール板とする。
ダンボール箱としては，通称「みかん箱」又は「Ａ式」などと呼ばれる最も標準的なものであって、幅１８０〜２００ｍｍ、長さ３１０〜３４０ｍｍ、深さ３００〜３３０ｍｍのダンボール箱を使用することが好ましい。サイズについては、特にこだわるものではないが、このサイズのダンボール箱は、水や茶やジュースなどといった飲料水を詰めた、２リットルのペットボトルを６本梱包する用途に、一般的に多数使用されているため容易に手に入れることができるからである。
さらに、上記サイズのダンボール箱は、避難してきた人たちに飲料水を提供するために避難所等に運ばれ、飲料水を配った後に空になった状態で残るものである。これを、材料として利用することができるため、廃棄する手間をなくし資源として再利用する観点から好ましいからである。
【００１０】
２枚のダンボール板を、長幅稜において折り曲げ、幅面を立ち上げてこれを幅面立上とし、また、長さ面に繋がる２枚の長フラップの内の片方を片長フラップとし、長さ面と片長フラップとが交わる稜たる長フラップ稜において折り曲げ、片長フラップを立ち上げてこれをフラップ立上とし、幅面立上とフラップ立上とを結合することにより、長さ面と幅面立上とフラップ立上とを、それぞれ有する２個の半便座とする。
ダンボール板の製造段階で折り曲げるための加工がなされ、ダンボール箱に組み立てる段階で既に一度折り曲げられた稜において、ダンボール板を再び折り曲げるため、新たに加工する必要はなく容易に作業を行うことができる。
幅面立上とフラップ立上とを結合する方法については、接着剤を使用する方法や縫い付ける方法もあるが、粘着テープを使用することが好ましい。ガム・テープ、ビニール・テープ、セロファン・テープなどは身近にあって容易に手に入れることができ、しかも簡単に結合することができるからである。
【００１１】
２個の半便座を、長さ面同士が互いに重なり、幅面立上が長さ面の両側にそれぞれ離れて対立し、フラップ立上同士が互いに重なるようにして組み合わせて結合し、さらに、重なり合う長さ面を貫通する穴を設けてなる簡易便座とする。
幅面立上が長さ面の両側にそれぞれ離れて対立するよう構成するためには、２枚のダンボール板の内の片方を同じ平面内で１８０度回転させる方法と、片方の裏表を反転させる方法がある。同じ平面内で１８０度回転させると、ダンボール箱の内面同士・外面同士が揃い、見栄えがよくなるため好ましい。
結合する方法については、接着剤を使用する方法や縫い付ける方法もあるが、粘着テープを使用することが、上記と同様の理由により好ましい。重なり合う長さ面を貫通する穴については、ナイフやはさみなど身近な道具を使用して明けることができる。穴のサイズは排便するときに汚物が付着しない大きさであれば特にこだわるものではない。このとき、切り取った部分を使って穴を塞ぎ、粘着テープを使用して留め、切り取った部分を開閉する構成とすれば、蓋付きの簡易便座を得ることができる。
２個の半便座からなる簡易便座は、普通の体重の人が座って使用することが可能であるが、特に体重の重い人が使用する場合に対応して、２個の簡易便座を２重に重ねて使用する構成とすることもできる。
【００１２】
上記した簡易便座において、幅面に繋がる２枚の幅フラップの内のフラップ立上側を片幅フラップとし、幅面と片幅フラップとが交わる稜たる幅フラップ稜において折り曲げ、片幅フラップが片長フラップと重なるようにすることにより、フラップ立上の一部が、片長フラップと片幅フラップの２枚構造になるようにした簡易便座とする。
また、長さ面に繋がる２枚の長フラップの内の他方を他長フラップとし、他長フラップの両角を斜めに切り取ってなる面取りを設け、長さ面と他長フラップとが交わる稜たる長フラップ稜において折り曲げ、他長フラップを立ち上げてこれを他側立上とし、幅面に繋がる２枚の幅フラッグの内の他方を他幅フラップとし、幅面と他幅フラップとが交わる稜たる幅フラップ稜において折り曲げ、他側立上の一部に他幅フラップの一部を重ねた状態とし、他側立上と他幅フラップとを結合してなる簡易便座とする。
片幅フラップ、他長フラップ及び他幅フラップを切り取る構成とすることも可能であるが、片幅フラップをフラップ立上の一部としたり、他長フラップを他側立上として他幅フラップと結合することにより、更に剛性の高い簡易便座を得ることができるため好ましいからである。
簡易便座を使用するときは、幅面立上及びフラップ立上並びに適宜設けた場合の他側立上及び他幅フラップ（以下単に「立上等」という。）を下にして容器に載せ、長さ面における立上等と反対側の面の上に使用者が腰掛けて使用する。
【００１３】
簡易便器に使用する容器としては、バケツやゴミ箱などの身近にある容器を使用することができる。しかし、適当な容器がない場合や数が足りない場合には、ダンボール箱を二重にしてなる容器を使用することが可能である。このとき、避難してきた人たちに飲料水を配った後に空になったダンボール箱を活用すれば、空のダンボール箱を廃棄する手間をなくし資源として再利用する観点から好ましい。
そこで、上記した簡易便座と、ダンボール箱を二重にしてなる容器と、容器内に取り付けたゴミ袋及びゴミ袋内に入れた水分吸収剤とからなる簡易便器とする。
ダンボール箱としては、幅１８０〜２００ｍｍ、長さ３１０〜３４０ｍｍ、深さ３００〜３３０ｍｍの最も標準的なダンボール箱を使用することが好ましい。このサイズのダンボール箱は、飲料水を詰めた２リットルのペットボトルを６本梱包する用途に使用されることが多く、容易に手に入れることができるからである。
ゴミ袋の中に入れる水分吸収材としては、ぺットの尿を吸収するペットシーツ、人間用のおむつ、ペットの尿を固める砂、新聞紙等を細かく切ったものなど、身近で容易に入手可能なものを使用することが好ましい。
【００１４】
２枚の長さ面、２枚の幅面、４枚の長フラップ及び４枚の幅フラップとからなるダンボール箱であって、長さ面に切断ミシン目と折曲ミシン目とからなる穴用ミシン目を設け、片方の長さ面に設けた穴用ミシン目と他方の長さ面に設けた穴用ミシン目とが、互いに上下反転した状態に構成したダンボール箱とする。
ダンボール箱としては、最も標準的なダンボール箱であって、幅１８０〜２００ｍｍ、長さ３１０〜３４０ｍｍ、深さ３００〜３３０ｍｍのサイズのダンボール箱を使用することが好ましい。このサイズのダンボール箱は、飲料水を詰めた２リットルのペットボトルを６本梱包する用途に使用されることが多く、一般的であるため容易に手に入れることができるからである。
ナイフやはさみなどの道具を使用しないで、簡易便座の穴を簡単に明けることを可能にするために、切断ミシン目と折曲ミシン目とからなる穴用ミシン目を設けたものである。さらに、内面同士・外面同士を揃えて、見栄えがよい簡易便座を得るために、２枚のダンボール箱の内の片方を同じ平面内で１８０度回転させることから、穴用ミシン目を互いに上下反転した状態に構成したものである。
ミシン目のピッチを細かくすることによって切断ミシン目とし、ミシン目のピッチを粗くすることによって折曲ミシン目とすることが可能である。また、ミシン目の切り込みを深くして切断ミシン目とし、ミシン目の切り込みを浅くして折曲ミシン目とすることも可能である。
【実施例１】
【００１５】
以下、本考案の実施例１を図１〜４に示し説明する。使用したダンボール箱は通称「みかん箱」又は「Ａ式」などと呼ばれる、最も標準的なダンボール箱であって、幅Ｂ＝１９０ｍｍ、長さＬ＝３２２ｍｍ、深さＤ＝３１５ｍｍのサイズのダンボール箱である。
ダンボール箱の４本の長幅稜の内の、対角に位置する２本の長幅稜に沿ってダンボール箱を切断し、そのまま並べて展開することにより、図１（ａ）に示した２枚のダンボール板４を得た。続いて、左側のダンボール板４を同じ平面内で１８０度回転させることにより、図１（ｂ）に示したように、それぞれ幅面４ｂを外側に置く配置とした。
さらに、ダンボール板４を、長さ面４ａと幅面４ｂとが交わる長幅稜４ｅにおいて折り曲げ、幅面４ｂを概略９０度立ち上げてこれを幅面立上３ａとした。また、幅面４ｂと片幅フラップ４ｄとが交わる幅フラップ稜４ｇにおいて片幅フラップ４ｄを折り曲げ、さらに、長さ面４ａと片長フラップ４ｃとが交わる長フラップ稜４ｆにおいて片長フラップ４ｃを折り曲げ、片長フラップ４ｃを概略９０度立ち上げて、片長フラップ４ｃと片幅フラップ４ｄとからなるフラップ立上３ｂとした。
そして、片長フラップ４ｃと片幅フラップ４ｄとの間及び幅面立上３ａとフラップ立上３ｂとの間を粘着テープ５で結合することにより２個の半便座３を得た。また、他長フラップ４ｈの両角を斜めに切り取ってなる面取り３ｃを、それぞれの半便座３に設けた。
【００１６】
２個の半便座３を、長さ面４ａ同士が互いに重なり、幅面立上３ａが長さ面４ａの両側にそれぞれ離れて対立し、フラップ立上３ｂ同士が互いに重なるようにして組み合わせ、これを適宜粘着テープで結合した。そして、２個の半便座３を組み合わせた状態にして、ナイフを使用して、重なり合う長さ面４ａを貫通する穴１ａを設けた。
また、長さ面４ａと他長フラップ４ｈとが交わる長フラップ稜４ｆにおいて他長フラップ４ｈを折り曲げ、他長フラップ４ｈを立ち上げてこれを他側立上３ｄとした。本実施例では長さ面４ａと他側立上３ｄの面との間の角度を概略１３５度とした。
さらに、幅面４ｂと他幅フラップ４ｊとが交わる幅フラップ稜４ｇにおいて他幅フラップ４ｊを折り曲げ、他側立上３ｄの一部に他幅フラップ４ｊの一部を重ねた状態として、他側立上３ｄと他幅フラップ４ｊとを粘着テープ５で結合することにより、簡易便座１を得た。
そして、上部を開放したダンボール箱を二重にしてなる容器２ａと、容器２ａ内に取り付けたゴミ袋（図示せず）と、ゴミ袋内に取り付けたレジ袋（図示せず）と、レジ袋内に入れた水分吸収材とで簡易便器２を構成した。
ゴミ袋の中にさらにレジ袋を入れたのは、汚物を棄てるときにレジ袋だけを一緒に廃棄することにより、ゴミ袋を繰り返し使用するためである。汚物を棄てる度にゴミ袋を廃棄する場合はレジ袋を使用しなくてもよい。
本実施例では、水分吸収剤として、細かく切った新聞紙を使用した。また本実施例では、二重のダンボールの上側のフラップを取り除いたが、上側のフラップを切り取ることなく、内側を容器の内側に折り込み、外側をたれ下げたままにしても構わない。
【実施例２】
【００１７】
以下本考案の実施例２を図５に示し説明する。実施例２は長さ面に穴用ミシン目を設けた点で実施例１と異なるものである。重複した記載を避けるため、実施例１と異なる構成についてのみ記載する。
ダンボール箱の２枚の長さ面にそれぞれ穴用ミシン目を設け、長さ面と幅面の交わる４本の稜の内の、対角に位置する２本の稜に沿ってダンボール箱を切断し、そのまま並べて展開した状態を図５に示した。
穴用ミシン目６は、２本の長尺切断ミシン目６ａと、２本の短尺切断ミシン目６ｂと、１本の中尺折曲ミシン目６ｃ及び１本の短尺折曲ミシン目６ｄとからなるものとした。本実施例では、ミシン目のピッチを細かくすることによって切断ミシン目とし、ミシン目のピッチを粗くすることによって折曲ミシン目とした。
そして、互いに斜めに交わる２本の短尺切断ミシン目６ｂの中間を、短尺折曲ミシン目６ｄで繋ぎ、２本の短尺切断ミシン目６ｂの一部と短尺折曲ミシン目６ｄとで三角部６ｅを構成し、三角部６ｅを指で押すことにより、２本の短尺切断ミシン目６ｂの内の三角部６ｅを構成する部分を容易に切り離すことを可能にした。
【００１８】
また、三角部６ｅを短尺折曲ミシン目６ｄで折り曲げ、三角部６ｅを掴み引き上げる方向の力を加えることにより、２本の短尺切断ミシン目６ｂの切断されていない部分と、２本の長尺切断ミシン目６ａを順次切り離し、さらに、中尺折曲ミシン目６ｃの線で折り曲げ、切断した線と中尺折曲ミシン目６ｃとで囲われた範囲を穴とした。そして、中尺折曲ミシン目６ｃにおいて折り曲げることにより、開閉可能な蓋付きの穴を構成した。
本実施例では、２個の穴用ミシン目６を互いに上下反転した状態に構成した。これは、２枚のダンボール板の内の片方を同じ平面内で１８０度回転させることにより、ダンボール箱の内面同士・外面同士を揃えて、見栄えがよい簡易便座を得るためである。
企業は、商品やサービスを需用者に直接提供するだけでなく、その事業活動に関連して、社会に何らかの追加的な貢献を行うことにより、社会から支持を受け信頼される存在となることができる。
飲料水を詰めたペットボトルを本実施例に係るダンボール箱に詰め、これを社会に提供することにより、さりげなくあるいは積極的に、緊急時に有用なダンボール箱を使用していることを示すことが可能である。このような活動によって、企業の評判の向上に寄与することができる。また、そのようなダンボール箱を使用した飲料水であることを理由に、他社との差別化を図り需要を喚起する効果も期待できる。
【産業上の利用可能性】
【００１９】
本考案は、避難所等の運営を行う事業者や、ダンボール箱を製造・販売する産業だけでなく、飲料水などを製造・販売する産業においても利用することができる。
【符号の説明】
【００２０】
１  ：簡易便座              １ａ：穴                    ２  ：簡易便器
２ａ：容器                  ３  ：半便座                ３ａ：幅面立上
３ｂ：フラップ立上          ３ｃ：面取                  ３ｄ：他側立上
４  ：ダンボール板          ４ａ：長さ面                ４ｂ：幅面
４ｃ：片長フラップ          ４ｄ：片幅フラップ          ４ｅ：長幅稜
４ｆ：長フラップ稜          ４ｇ：幅フラップ稜          ４ｈ：他長フラップ
４ｊ：他幅フラップ          ５  ：粘着テープ            ６  ：穴用ミシン目      ６ａ：長尺切断ミシン目      ６ｂ：短尺切断ミシン目      ６ｃ：中尺折曲ミシン目
６ｄ：短尺折曲ミシン目      ６ｅ：三角部
【図１】
0003201269.tif 000003
【図２】
0003201269.tif 000004
【図３】
0003201269.tif 000005
【図４】
0003201269.tif 000006
【図５】
0003201269.tif 000007
【手続補正書】
【提出日】平成27年9月25日(2015.9.25)
【手続補正１】
【補正対象書類名】実用新案登録請求の範囲
【補正対象項目名】全文
【補正方法】変更
【補正の内容】
【実用新案登録請求の範囲】
【請求項１】
ダンボール板を折り曲げるために加工された部分であって、箱に組み立てたときに二つの面の交わる線状部分を稜とし、長さ面と幅面の交わる稜たる長幅稜を４本有するダンボール箱において、対角に位置する２本の長幅稜に沿ってダンボール箱を切断することにより得た、２枚のダンボール板を材料とし、
２枚の前記ダンボール板を、長幅稜において折曲げ、幅面を立ち上げてこれを幅面立上とし、また、長さ面に繋がる２枚の長フラップの内の片方を片長フラップとし、前記長さ面と前記片長フラップとが交わる稜たる長フラップ稜において折り曲げ、前記片長フラップを立ち上げてこれをフラップ立上とし、前記幅面立上と前記フラップ立上とを結合することにより、前記長さ面と前記幅面立上と前記フラップ立上とを、それぞれ有する２個の半便座とし、
２個の前記半便座を、前記長さ面同士が互いに重なり、前記幅面立上が前記長さ面の両側にそれぞれ離れて対立し、前記フラップ立上同士が互いに重なるようにして組み合わせて結合し、さらに、重なり合う前記長さ面を貫通する穴を設けてなる簡易便座。
【請求項２】
請求項１に記載した簡易便座において、前記幅面に繋がる２枚の幅フラップの内の前記フラップ立上側を片幅フラップとし、前記幅面と前記片幅フラップとが交わる稜たる幅フラップ稜において折り曲げ、前記片幅フラップが前記片長フラップと重なるようにすることにより、前記フラップ立上の一部が、前記片長フラップと前記片幅フラップの２枚構造になるようにした簡易便座。
【請求項３】
請求項１又は請求項２のいずれかに記載した簡易便座において、前記長さ面に繋がる２枚の長フラップの内の他方を他長フラップとし、前記他長フラップの両角を斜めに切り取ってなる面取りを設け、前記長さ面と前記他長フラップとが交わる稜たる長フラップ稜において折り曲げ、前記他長フラップを立ち上げてこれを他側立上とし、
前記幅面に繋がる２枚の幅フラップの内の他方を他幅フラップとし、前記幅面と前記他幅フラップとが交わる稜たる幅フラップ稜において折り曲げ、前記他側立上の一部に前記他幅フラップの一部を重ねた状態とし、前記他側立上と前記他幅フラップとを結合してなる簡易便座。
【請求項４】
請求項１〜請求項３のいずれかに記載した簡易便座と、ダンボール箱を二重にしてなる容器と、前記容器内に取り付けたゴミ袋及び前記ゴミ袋内に入れた水分吸収材とからなる簡易便器。
【請求項５】
請求項１〜請求項３のいずれかに記載した簡易便座の材料として使用するダンボール箱であって、２枚の長さ面、２枚の幅面、４枚の長フラップ及び４枚の幅フラップとを有するものとし、前記長さ面に切断ミシン目と折曲ミシン目とからなる穴用ミシン目を設け、片方の長さ面に設けた穴用ミシン目と他方の長さ面に設けた穴用ミシン目とが、互いに上下反転した状態に構成したことを特徴とするダンボール箱。